(57)【要約】【課題】  表示画面において映像データを表示中でも、メールの内容をユーザが確実に確認できるように表示することが可能な携帯通信端末及び携帯通信端末の制御方法、携帯通信端末の制御プログラム並びにこれを記録した記録媒体を提供する。【解決手段】  操作部４が、送り表示操作を受け付ける度に、メールデータ処理部６７が、記憶部６８に記憶されたメールデータの文字コンテンツのうち、表示画面５０に表示されている部分に連続する前または後の部分を読み出すとともに、表示データ作成部６９が、メールデータ処理部６７の読み出した部分を表示できるように、表示画面５０の文字コンテンツの表示を更新する。【選択図】  図１
2005151338.tif 000002
【特許請求の範囲】
【請求項１】
表示画面に映像と文字とを表示する携帯通信端末において、
ユーザからの操作を受け付ける操作部と、
文字コンテンツを含むメールデータを記憶する記憶手段と、
上記記憶手段からメールデータの文字コンテンツを読み出すメールデータ処理手段と、
映像と上記メールデータ処理手段が読み出した文字コンテンツとを組み合わせて上記表示画面に表示させる表示データ作成手段とを有し、
上記操作部が、送り表示操作を受け付ける度に、上記メールデータ処理手段が、上記記憶手段に記憶された文字コンテンツのうち、上記表示画面に表示されている部分に連続する前または後の部分を読み出すとともに、上記表示データ作成手段が、上記メールデータ処理手段の読み出した部分を表示できるように、上記表示画面の文字コンテンツの表示を更新することを特徴とする携帯通信端末。
【請求項２】
上記携帯通信端末は、さらに、テレビ放送信号を受信できるテレビ受信手段を有し、上記映像は、上記テレビ受信手段が受信したテレビ放送信号に含まれる映像であることを特徴とする請求項１に記載の携帯通信端末。
【請求項３】
上記表示データ作成手段は、映像とメールデータの文字コンテンツとで表示する領域を分けて上記表示画面に表示させることを特徴とする請求項１または２に記載の携帯通信端末。
【請求項４】
上記表示データ作成手段は、メールデータの文字コンテンツを映像に重ね合わせて上記表示画面に表示させることを特徴とする請求項１または２に記載の携帯通信端末。
【請求項５】
上記表示データ作成手段は、上記操作部が変色操作を受け付けると、上記表示画面に表示させるメールデータの文字コンテンツの色を変えることを特徴とする請求項４に記載の携帯通信端末。
【請求項６】
上記表示データ作成手段は、上記操作部が領域変更操作を受け付けると、上記表示画面に表示させるメールデータの文字コンテンツの表示領域を変えることを特徴とする請求項１ないし５のいずれか１項に記載の携帯通信端末。
【請求項７】
上記テレビ受信手段は、さらに文字放送を受信でき、
上記記憶手段は、さらに上記文字放送に含まれる文字データを記憶でき、
上記表示データ作成手段は、上記操作部がメール／文字切り替え操作を受け付けると、メールデータの文字コンテンツと、上記文字放送の文字データとを切り替えて上記表示画面に表示させることを特徴とする請求項２に記載の携帯通信端末。
【請求項８】
上記携帯通信端末は、さらに、メール作成画面を表示させるデータを上記表示データ作成手段に出力するメール作成画面保持手段を有し、
上記表示データ作成手段は、上記操作部が映像／メール画面切り替え操作を受け付けると、映像と上記メール作成画面とを切り替えて表示画面に表示させることを特徴とする請求項１ないし７のいずれか１項に記載の携帯通信端末。
【請求項９】
上記携帯通信端末は、さらに音声を出力する音声出力手段を有し、上記表示データ作成手段が映像を上記表示画面に表示させない場合にも、上記音声出力手段は、上記映像に伴う音声を出力することを特徴とする請求項８に記載の携帯通信端末。
【請求項１０】
上記表示データ作成手段は、上記操作部が映像／メール画面切り替え操作を受け付けると、映像データと上記メール作成画面を映像に重ね合わせた表示とを切り替えて表示画面に表示させることを特徴とする請求項８に記載の携帯通信端末。
【請求項１１】
上記操作部がメール中止操作を受け付けると、上記表示データ作成手段は、メールデータの文字コンテンツ表示を中止することを特徴とする請求項１ないし１０のいずれか１項に記載の携帯通信端末。
【請求項１２】
表示画面に映像と文字とを表示する携帯通信端末の制御方法において、
文字コンテンツを含むメールデータを記憶する記憶ステップと、
ユーザからの送り表示操作を受け付ける送り操作ステップと、
上記記憶ステップで記憶されたメールデータの文字コンテンツを読み出すメール読み出しステップと、
映像と上記読出しステップで読み出した文字コンテンツとを組み合わせて上記表示画面に表示させる表示ステップと、を含み、
上記送り操作ステップが実行される度に、上記読出しステップでは、上記記憶ステップで記憶された文字コンテンツのうち、上記表示画面に表示されている部分に連続する前または後の部分を読み出すとともに、上記表示ステップでは、上記読み出しステップで読み出した部分を表示できるように、上記表示画面の文字コンテンツの表示を更新することを特徴とする携帯通信端末の制御方法。
【請求項１３】
操作部と表示画面とコンピュータとからなる請求項１〜１１の何れか１項に記載の携帯通信端末を実現させるための携帯通信端末制御プログラムであって、当該コンピュータを上記各手段として動作させることを特徴とする携帯通信端末制御プログラム。
【請求項１４】
請求項１３に記載の携帯通信端末制御プログラムを記録していることを特徴とするコンピュータ読み取り可能な記録媒体。
【発明の詳細な説明】
【技術分野】
【０００１】
本発明は映像情報の受信およびメールの送受信を行うことのできる携帯通信端末及び携帯通信端末の制御方法、携帯通信端末の制御プログラム並びにこれを記録した記録媒体に関する。
【背景技術】
【０００２】
近年の携帯電話端末は急速に高機能化しており、現在、携帯電話端末は、通話、電子メール、インターネット等複数の通信媒体を持っている。この携帯電話端末は、「携帯」という特性上、ある程度の即時性・リアルタイム性が求められる。リアルタイム性は、特に、通話（着信）、電子メール（受信・返信）等の機能において要求される。
【０００３】
従来の携帯電話端末では、電子メール（以下メールとする）の表示及び編集は携帯電話端末の表示画面全体を使って表示するようになっている。そのため、例えば、携帯電話端末の表示画面においてインターネット表示等メール表示以外の操作を行っている際に、受信メールの内容を確認したい場合には、メール画面に切り替えなければならない。この様に、上記のような従来の電子メールの着信通知方法では、画面表示を切り替えてメール表示画面に移行するため、メールを見るにはテレビを中断しなければならない。
【０００４】
しかし、上記のように高機能化が進んだ現在では、テレビのようなメディア等、中断することが不向きなメディアも携帯電話端末に搭載されてきている。このような中断に不向きなテレビ表示中に、テレビと同様に文字・映像のメディアであり、かつ、ある程度のリアルタイム性が求められるメールを受信する場合がある。このようなとき、メール内容の確認中および返信メール作成中にもテレビの進行状況がわかると、ユーザにとって使い勝手がよく好ましい。このように、携帯電話端末という特性上、リアルタイム性が求められるメディアが複数搭載されてくると、複数のメディアを同時に表示する方法が必要となってくる。
【０００５】
上記のような問題に対し、通信端末の表示画面において、メール以外の表示を行っている間に、同時にメールの内容を知る方法として次の方法がある。すなわち、メール受信時に、あらかじめ設定された条件に基づいて受信メールを検索し、条件に合致した場合には必要な情報を自動的にスクロールさせてテロップとして画面上に表示する方法である（例えば、特許文献１参照）。また、別の方法として、メール受信時に、画面の一部に必要な情報を自動的にスクロールで表示し、特定の操作を行うことで既に表示した部分を再度表示する方法がある（例えば、特許文献２参照）。
【特許文献１】特開平１０−２６９１５４号公報（１９９８年１０月９日公開）
【特許文献２】特開２００３−１５０５０６号公報（２００３年５月２５日公開）
【発明の開示】
【発明が解決しようとする課題】
【０００６】
上記特許文献１に記載された方法では、テロップは自動的にスクロールされるため、電子メールの内容を見逃してしまうことがあり、メール以外の表示およびメール表示両方に注意しなければならない。また、特許文献２に記載された方法では、所定の操作により、メールの文頭から再度表示されることになるが、ユーザは、見逃した箇所までは再度同じメールを読むことになり、メールの大部分を読んでいた場合等、ユーザにとって、時間の無駄となってしまうことがある。
【０００７】
本発明は、上記の問題点に鑑みてなされたものであり、その目的は、携帯通信端末の有する比較的小さな表示画面において、映像データを表示中でも、メールの内容をユーザが確実に確認できるように表示することが可能な、携帯通信端末及び携帯通信端末の制御方法、携帯通信端末の制御プログラム並びにこれを記録した記録媒体を提供することにある。
【課題を解決するための手段】
【０００８】
上記課題を解決するために、本発明に係る携帯通信端末は、表示画面に映像と文字とを表示する携帯通信端末において、ユーザからの操作を受け付ける操作部と、文字コンテンツを含むメールデータを記憶する記憶手段と、上記記憶手段からメールデータの文字コンテンツを読み出すメールデータ処理手段と、映像と上記メールデータ処理手段が読み出した文字コンテンツとを組み合わせて上記表示画面に表示させる表示データ作成手段とを有し、上記操作部が、送り表示操作を受け付ける度に、上記メールデータ処理手段が、上記記憶手段に記憶された文字コンテンツのうち、上記表示画面に表示されている部分に連続する前または後の部分を読み出すとともに、上記表示データ作成手段が、上記メールデータ処理手段の読み出した部分を表示できるように、上記表示画面の文字コンテンツの表示を更新することを特徴としている。
【０００９】
さらに、本発明に係る携帯通信端末は、上記構成に加え、テレビ放送信号を受信できるテレビ受信手段を有し、上記映像は、上記テレビ受信手段が受信したテレビ放送信号に含まれる映像であってもよい。
【００１０】
さらに、本発明に係る携帯通信端末は、上記構成に加え、上記表示データ作成手段が、映像データとメールデータの文字コンテンツとで表示する領域を分けて上記表示画面に表示させてもよい。
【００１１】
さらに、本発明に係る携帯通信端末は、上記構成に加え、上記表示データ作成手段が、メールデータの文字コンテンツを映像に重ね合わせて上記表示画面に表示させてもよい。
【００１２】
さらに、本発明に係る携帯通信端末は、上記構成に加え、上記表示データ作成手段が、上記操作部が変色操作を受け付けると、上記表示画面に表示させるメールデータの文字コンテンツの色を変えてもよい。
【００１３】
さらに、本発明に係る携帯通信端末は、上記構成に加え、上記操作部が領域変更操作を受け付けると、上記表示画面に表示させるメールデータの文字コンテンツの表示領域を変えてもよい。
【００１４】
さらに、本発明に係る携帯通信端末は、上記構成に加え、上記テレビ受信手段がさらに文字放送を受信でき、上記記憶手段がさらに上記文字放送に含まれる文字データを記憶でき、上記表示データ作成手段が、上記操作部がメール／文字切り替え操作を受け付けると、メールデータの文字コンテンツと、上記文字放送の文字データとを切り替えて上記表示画面に表示させてもよい。
【００１５】
さらに、本発明に係る携帯通信端末は、上記構成に加え、メール作成画面を表示させるデータを上記表示データ作成手段に出力するメール作成画面保持手段を有し、上記表示データ作成手段が、上記操作部が映像／メール画面切り替え操作を受け付けると、映像と上記メール作成画面とを切り替えて表示画面に表示させてもよい。
【００１６】
さらに、本発明に係る携帯通信端末は、上記構成に加え、音声を出力する音声出力手段を有し、上記表示データ作成手段が映像を上記表示画面に表示させない場合にも、上記音声出力手段は、上記映像に伴う音声を出力してもよい。
【００１７】
さらに、本発明に係る携帯通信端末は、上記構成に加え、上記操作部が映像／メール画面切り替え操作を受け付けると、映像データと上記メール作成画面を映像に重ね合わせた表示とを切り替えて表示画面に表示させてもよい。
【００１８】
さらに、本発明に係る携帯通信端末は、上記構成に加え、上記操作部がメール中止操作を受け付けると、上記表示データ作成手段が、メールデータの文字コンテンツ表示を中止してもよい。
【００１９】
また、上記課題を解決するために、本発明に係る携帯通信端末の制御方法は、表示画面に映像と文字とを表示する携帯通信端末の制御方法において、文字コンテンツを含むメールデータを記憶する記憶ステップと、ユーザからの送り表示操作を受け付ける送り操作ステップと、上記記憶ステップで記憶されたメールデータの文字コンテンツを読み出すメール読み出しステップと、映像と上記読出しステップで読み出した文字コンテンツとを組み合わせて上記表示画面に表示させる表示ステップと、を含み、上記送り操作ステップが実行される度に、上記読出しステップでは、上記記憶ステップで記憶された文字コンテンツのうち、上記表示画面に表示されている部分に連続する前または後の部分を読み出すとともに、上記表示ステップでは、上記読み出しステップで読み出した部分を表示できるように、上記表示画面の文字コンテンツの表示を更新することを特徴としている。
【００２０】
また、上記課題を解決するために、本発明に係る携帯通信端末制御プログラムは、操作部と表示画面とコンピュータとからなる上記何れかの携帯通信端末を実現させるための携帯通信端末制御プログラムであって、当該コンピュータを前記各手段として動作させることを特徴としている。
【００２１】
また、上記課題を解決するために、本発明に係る記録媒体は、上記携帯通信端末の制御プログラムを記録していることを特徴とする。
【発明の効果】
【００２２】
本発明に係る携帯通信端末は、以上のように、表示画面に映像と文字とを表示する携帯通信端末において、操作部と、記憶手段と、メールデータ処理手段と、表示データ作成手段とを有し、上記操作部が、送り表示操作を受け付ける度に、上記メールデータ処理手段が、上記記憶手段に記憶された文字コンテンツのうち、上記表示画面に表示されている部分に連続する前または後の部分を読み出すとともに、上記表示データ作成手段が、上記メールデータ処理手段の読み出した部分を表示できるように、上記表示画面の文字コンテンツの表示を更新する。
【００２３】
上記構成によれば、表示画面に映像を表示中でも、メールデータの文字コンテンツを表示することができ、ユーザ操作の度に、表示画面に表示されている部分に連続する前または後の部分を、順に表示させることができる。なお、文字コンテンツには、送信者（Ｆｒｏｍ）、題名（Ｓｕｂｊｅｃｔ）、およびメール本文が含まれているものとする。また、映像とは、動画・静止画を含むものとする。以下ではメールとは、メールデータの文字コンテンツを指すものとする。
【００２４】
従来の携帯通信端末において、メール以外の処理が表示画面上で行われているとき、受信メールは、ユーザの意思とは無関係に流れるスクロールで表示された。そのため、ユーザは、受信メールを見逃すことがあった。しかし、上記構成によれば、ユーザは、自身の読みやすい速度で、操作部を操作することで、メールの未表示部分を順に表示させることができる。つまり、例えば、映像を見ながら頃合いを見計らって、メールを表示させることができるので、ユーザは、映像とメールとをどちらも見逃さずに見ることができる。ゆえに、上記構成では、映像データ表示中でも、ユーザがメールの内容を見逃すことなく確実に確認できるように表示できるという効果を奏する。
【００２５】
本発明に係る携帯通信端末は、以上のように、さらに、テレビ受信手段を有し、上記映像は、上記テレビ受信手段が受信したテレビ放送信号に含まれるであってもよい。
【００２６】
上記構成によれば、携帯通信端末において、リアルタイム性が要求される、テレビ放送と、メール表示とを同時に行うことができる。そのため、ユーザはテレビ視聴中に、緊急メールがきたとしても、テレビ放送とメールとを同時に確認することができる。ゆえに、ユーザがテレビ視聴を中断することなく、メールも確実に確認することができるという効果を奏する。
【００２７】
本発明に係る携帯通信端末では、以上のように、さらに、上記表示データ作成手段が、映像とメールデータの文字コンテンツとで表示する領域を分けて上記表示画面に表示させてもよい。
【００２８】
上記構成によれば、メールデータの文字コンテンツを表示する領域として、表示画面において、映像が表示されない、例えば、日時、時刻、現在のモード、電池残量等の情報が表示される領域を使用することができる。ゆえに、表示画面を有効に使用することができるという効果を奏する。
【００２９】
本発明に係る携帯通信端末では、以上のように、さらに、上記表示データ作成手段が、メールデータの文字コンテンツを映像に重ね合わせて上記表示画面に表示させてもよい。
【００３０】
上記構成によると、メールデータの文字コンテンツが映像に重ねて表示される。よって、携帯通信端末に搭載される比較的小さな表示画面を可能な限り大きく使うことが可能となるという効果を奏する。
【００３１】
本発明に係る携帯通信端末では、以上のように、さらに、上記表示データ作成手段が、上記操作部が変色操作を受け付けると、上記表示画面に表示させるメールデータの文字コンテンツの色を変える。
【００３２】
上記構成によると、表示された映像データにおけるシーンの変化により、メールデータの文字コンテンツが見にくくなったときでも、ユーザは、文字の色を変えて表示することができ、すぐに見やすい表示色を選択することができる。例えば、映像データに重ねて白文字でメールデータの文字コンテンツの表示を行っているとき、シーンが変わって真っ白の映像データが表示されても、ユーザが操作を行うことでメールデータの文字コンテンツの表示色を赤色等に変化させることができる。ゆえに、ユーザにとってメール内容を確認しやすくなるという効果を奏する。表示データ作成手段は、変色操作を受け付ける度に、例えば、赤、黒、白、赤、白、黒…のように、繰り返して色を変えるようになっていればよい。なお、メールの色の変え方はこれには、限定はされない。
【００３３】
本発明に係る携帯通信端末では、以上のように、さらに、上記表示データ作成手段が、上記操作部が領域変更操作を受け付けると、上記表示画面に表示させるメールデータの文字コンテンツの表示領域を変える。
【００３４】
上記構成によると、メールデータの文字コンテンツをユーザの好みの領域に表示することができる。映像に重ねてメールを表示しているとき、例えば、字幕つきの映像が表示されていて、メールデータの文字コンテンツと重なって字幕およびメールのどちらもが見にくくなる場合等がある。こういった場合、上記構成によると、メールデータの文字コンテンツの表示領域を変えることができるので、字幕と重ならない領域にメールデータの文字コンテンツを表示することができる。よって、ユーザが見やすい位置にメールを表示できるという効果を奏する。表示データ作成手段は、領域変更操作を受け付ける度に、例えば、上、下、右、左、上、下、右、左…のように、繰り返して表示領域を変えるようになっていればよい。なお、表示領域の変え方は、これには限定はされない。
【００３５】
本発明に係る携帯通信端末では、以上のように、上記テレビ受信手段がさらに文字放送を受信でき、上記記憶手段がさらに上記文字放送に含まれる文字データを記憶でき、上記表示データ作成手段が、上記操作部がメール／文字切り替え操作を受け付けると、メールデータの文字コンテンツと、上記文字放送の文字データとを切り替えて上記表示画面に表示させる。
【００３６】
例えば、地上波デジタル放送等には文字放送が含まれるものがある。この放送では、映像データと文字データとが同時に放送される。そのため、携帯通信端末において、地上波デジタル放送を受信し、映像データと文字データとを同時に表示画面に表示させるものがある。メールデータを受信した場合、上記構成によると、上記文字データを記憶する記憶手段に受信したメールデータを記憶させ、上記文字データを表示する領域を使い、メールデータの文字コンテンツを表示させることができる。ゆえに、携帯通信端末において、映像データと文字データとを同時に表示画面に表示させるものを用いて、本発明の携帯通信端末を構成することができる。ゆえに、処理・構成の簡略化が行えるという効果を奏する。
【００３７】
本発明に係る携帯通信端末では、以上のように、さらに、メール作成画面を表示させるデータを上記表示データ作成手段に出力するメール作成画面保持手段を有し、
上記表示データ作成手段は、上記操作部が映像／メール画面切り替え操作を受け付けると、映像と上記メール作成画面とを切り替えて表示画面に表示させる。
【００３８】
上記構成によると、映像と、メール作成画面とを交互に表示することができる。そのため、映像表示中に、急にメールを作成しなければならなくなった場合でも、直ぐにメール作成画面に切り替えることができる。また、メール作成時に、急に映像を視聴したくなっても、直ぐに切り替えることができる。ゆえに、ユーザにとって使い勝手がよくなるという効果を奏する。
【００３９】
本発明に係る携帯通信端末は、以上のように、さらに、音声を出力する音声出力手段を有し、上記表示データ作成手段が映像を上記表示画面に表示させない場合にも、上記音声出力手段は、上記映像に伴う音声を出力する。
【００４０】
上記構成によると、映像データに伴う音声を出力したままで、返信メールの作成を行うことができる。そのため、操作部からので映像表示に切り替えにより、例えばテレビの見たい場面等の映像を見逃すこと無く返信メールを作成することが可能となるという効果を奏する。
【００４１】
本発明に係る携帯通信端末では、以上のように、さらに、表示データ作成手段が、上記操作部が映像／メール画面切り替え操作を受け付けると、映像データと上記メール作成画面を映像に重ね合わせた表示とを切り替えて表示画面に表示させる。
【００４２】
上記構成によると、映像にメール作成画面を重ねて表示させることができる。ゆえに、映像の視聴を中断することなく、メールを作成することができるという効果を奏する。
【００４３】
本発明に係る携帯通信端末では、以上のように、さらに、上記操作部がメール中止操作を受け付けると、上記表示データ作成手段は、メールデータの文字コンテンツ表示を中止する。
【００４４】
上記構成によると、メールデータの文字コンテンツの表示を途中で中止することができる。そのため、ユーザは、メールの初めの内容を読み、緊急性を要さない内容だとわかった場合等には、メールデータの文字コンテンツの表示を途中で中止して、映像を視聴することができる。ゆえに、ユーザにメール内容を最後まで読むのを中止するという選択を与えることができるという効果を奏する。
【００４５】
本発明に係る携帯通信端末の制御方法は、以上のように、文字コンテンツを含むメールデータを記憶する記憶ステップと、
ユーザからの送り表示操作を受け付ける送り操作ステップと、上記記憶ステップで記憶されたメールデータの文字コンテンツを読み出すメール読み出しステップと、映像と上記読出しステップで読み出した文字コンテンツとを組み合わせて上記表示画面に表示させる表示ステップと、を含み、上記送り操作ステップが実行される度に、上記読出しステップでは、上記記憶ステップで記憶された文字コンテンツのうち、上記表示画面に表示されている部分に連続する前または後の部分を読み出すとともに、上記表示ステップでは、上記読み出しステップで読み出した部分を表示できるように、上記表示画面の文字コンテンツの表示を更新する。
【００４６】
上記方法によると、表示画面に映像を表示中でも、メールデータの文字コンテンツを表示することができ、ユーザ操作の度に、表示画面に表示されている部分に連続する前または後の部分を、順に表示させることができる。ユーザは、自身の読みやすい速度で、操作部を操作することで、メールの未表示部分を順に表示させることができる。つまり、例えば、映像を見ながら頃合いを見計らって、メールを表示させることができるので、ユーザは、映像とメールとをどちらも見逃さずに見ることができる。ゆえに、上記構成では、映像データ表示中でも、ユーザがメールの内容を見逃すことなく確実に確認できるように表示できるという効果を奏する。
【００４７】
なお、上記携帯通信端末は、コンピュータによって実現してもよく、この場合には、コンピュータを上記各手段として動作させることにより上記携帯通信端末をコンピュータにて実現させる携帯通信端末の端末制御プログラム、及びその携帯通信端末の端末制御プログラムを記録したコンピュータ読み取り可能な記録媒体も、本発明の範疇に入る。
【発明を実施するための最良の形態】
【００４８】
本発明の一実施形態について図１から図６に基づいて説明すると以下の通りである。なお、本発明は、映像と文字とを表示できる任意の携帯通信端末に適用できるが、以下では、好適な実施形態として、テレビ放送信号の受信および表示が可能な携帯電話端末（以下、携帯電話端末と呼ぶ）について説明する。
【００４９】
図１は、本実施形態の携帯電話端末１の内部構成を表すブロック図である。図１に示すように、携帯電話端末１は、チューナー２、無線部３、操作部４、表示部５、制御部６、スピーカ７を有している。また、本実施形態の携帯電話端末１の外観は、図２のようになっている。
【００５０】
チューナー（テレビ受信手段）２は、ＴＶアンテナを介しＴＶ電波からテレビ放送信号を受信する。受信するテレビ放送信号は、デジタル放送、アナログ放送のどちらものでもとくに限定されない。また、テレビ放送信号には、動画・静止画を含む映像データ、音声データが含まれているものとする。また、文字放送用の文字データが含まれていてもよいものとする。
【００５１】
無線部３は、アンテナを介してネットワーク（通信網）に接続されており、アンテナを介して受信したメールデータや通話の音声データ、制御信号等を復調して後述する通信制御部６５に出力する。また、メールデータ、通話の音声データ、制御信号等を高周波によって変調して、アンテナを介して通信相手に送信する。
【００５２】
操作部４は、ユーザからの操作を受け付けるためのインターフェイスである。図２に示すように操作部４では、操作キー、例えば、後述する、Ｆ（ファンクション）キー４１、クリアキー４２、メールキー４３がユーザ操作に供されるように設けられている。また、操作キーとして他にも、電源キー、通話開始キー、通話終了キー、数字キー等がユーザ操作に供されるように設けられている。ユーザは、この操作部４を用いることにより、本実施形態の携帯電話端末１に対して各種入力操作を行うことが可能である。
【００５３】
表示部５は、図２に示すような表示画面５０を有し、チューナー２が受信したテレビ映像を表示し、また、無線部３が受信したメールデータの文字コンテンツを表示する。テレビ信号受信時、携帯電話端末１の小さな画面を有効に利用するため、映像の表示は図３に示すように表示画面５０のほぼ全体を利用して行われるものとする。表示部５における表示画面５０には、図３に示すように、映像表示領域５Ａと情報表示領域５Ｂとがあるものとする。この映像表示領域５Ａには、動画、静止画が表示される。また、下記で説明するメール作成画面が表示される。情報表示領域５Ｂには、電波状況、電池残量、現在の選択モード、日付、時刻等が表示されるものとする。また、メールを受信したこと示す表示も情報表示領域５Ｂに表示されるものとする。なお、このような表示画面５０における表示は単なる例示であって、上記に限定されることはない。以下で、表示画面５０においてメールデータの文字コンテンツを表示する領域をメール表示領域と呼ぶことにする。
【００５４】
制御部６は、マイクロコンピュータを内蔵し、コンピュータプログラムに従って、操作部４からの入力操作、無線部３からの制御信号等により動作し、無線部３、表示部５、スピーカ７を制御する。なお、この制御部６が内部に備えている各機能ブロックについては、後段にて詳述する。
【００５５】
スピーカ（音声出力手段）７は、音声の出力装置であり、チューナー２が受信したテレビ放送信号に含まれる音声データを出力する。なお、通信相手の通話の音声も出力することができるが、本実施形態では言及しない。
【００５６】
さらに、本実施形態の携帯電話端末１は、音声入力をおこなうマイク等、電話動作を行うための部材を有している。
【００５７】
次に上述した制御部６における、各機能ブロックについて説明する。制御部４は、機能ブロックとして、図１に示すように、チューナー制御部６１、画像データ処理部６２、音声データ処理部６３、文字データ処理部６４、通信制御部６５、メールデータ処理部６６、メールデータ作成部６７、記憶部６８、表示データ作成部６９を備えている。
【００５８】
チューナー制御部６１は、チューナー２を制御しテレビ放送信号を受信し、この信号を復調する。
【００５９】
映像データ処理部６２は、チューナー制御部６１が復調したテレビ放送信号から動画・
静止画含む映像データを読み出し、表示データ作成部６９に送る。
【００６０】
音声データ処理部６３は、チューナー制御部６１が復調したテレビ放送信号から音声データを読み出し、スピーカ７に送る。
【００６１】
文字データ処理部６４は、チューナー制御部６１が復調したテレビ放送信号に文字放送用の文字データが含まれていると、これを読み出し、記憶部６８に記憶させる。また、操作部４からの表示のための読み出しの指示があると、表示データ作成部６９に送る。
【００６２】
通信制御部６５は、通信回路である無線部３とのインターフェイスとして無線部３を制御する。無線部３を制御し、通信網を介して通信相手から、メールデータを受信する。また、無線部３を制御し、メールデータ作成部６７が作成した送信メールデータを、通信網を介して通信相手に対して送信させる。
【００６３】
メールデータ処理部（メールデータ処理手段）６６は、通信制御部６５が受信したメールデータ受け取り、記憶部６８に記憶させる。また、ユーザが操作部４を介し受信したメールを読むための送り操作をした場合、つまり、操作部４がメール送り操作を受けた場合、記憶部６８からメールデータを読み出し、表示データ作成部６９に送る。この読み出しにおいて、メール表示領域に表示可能分読み出しても、一文字ずつ読出してもよいものとする。これら読み出す分量は、予め出荷時に決定されていてもよいし、ユーザによる操作部４からの操作により随時決定されてもかまわない。
【００６４】
メールデータ作成部６７（メール作成画面保持手段）は、図５（ａ）に示すような、メール作成画面を表示部に表示させるデータを保持しており、ユーザが操作部４を介しメール作成画面を表示する指示をした場合、メール作成画面を表示部に表示させるデータを表示データ作成部６９に送る。一方で、メールデータ作成部６７は、ユーザ指示により作成したメールを記憶部６８に記憶させ、操作部４がメール送信を行う操作を受けると、作成したメールを記憶部６８から読み出し、通信制御部６５に送る。
【００６５】
記憶部６８（記憶手段）は、上記文字コンテンツを含むメールデータを記憶する。また、上述したようにテレビ放送信号中に文字データが含まれている場合にはこの文字データも記憶する。記憶部６８は、本実施形態のように制御部６の内部に設けられていてもよいが、制御部６の外部に設けられていてもかまわない。
【００６６】
表示データ作成部６９は、操作部４を介したユーザ指示により、表示部５における表示画面に５０、映像とメールデータの文字コンテンツとを表示させる。ここで、メールデータの文字コンテンツには、送信者（Ｆｒｏｍ）、題名（Ｓｕｂｊｅｃｔ）、およびメール本文が含むものとするが、これに限定はされない。本実施形態でもメールデータの文字コンテンツ単にメールと呼ぶ。また、映像とは、動画・静止画を含むものとする。また、文字放送を受信した場合には、文字放送用の文字も表示さえせる。また、メールデータ作成部６７から送られるメール作成画面を表示させる。これらのどれを表示させるかは、後段のフローチャートの説明で詳細に説明する。
【００６７】
表示データ作成部（表示データ作成手段）６９が、映像データとメールデータとを組み合わせて表示画面５０に表示させる場合について説明する。
【００６８】
初めに、表示画面５０の情報表示領域５Ｂに受信したメールを表示できるように設定されている場合、表示データ作成部６９は、図４（ａ）に示すように、映像表示領域５Ａでのテレビ映像の表示を続行するとともに、受信したメールを情報表示領域５Ｂに表示させる。このように、受信したメールを情報表示領域５Ｂに表示させることで、表示画面５０を有効に使用することができる。
【００６９】
次に、映像表示領域５Ａの一部に重ねて受信したメールを表示できるように設定されている場合、表示データ作成部６９は、図４（ｂ）に示すように、映像表示領域でのテレビ映像の表示を続行するとともに、受信したメールを映像表示領域５Ａに表示させる。なお、メールを表示させる領域は、図４（ｂ）のように映像表示領域５Ａの一部に限定されず、例えば、映像表示領域５Ａの全部に渡ってもよい。このときは、つまり、メールの背景にテレビ映像が表示されることになる。このように、受信したメールを映像表示領域５Ａに表示させることで、比較的小さな表示画面を可能な限り大きく使うことが可能となる。
【００７０】
受信したメールを映像表示領域５Ａに表示する場合、例えば、テレビ映像に字幕が含まれていて、メールが重なってしまう場合が、ある。その場合、操作部４からのユーザ操作（領域変更操作）により表示データ作成部６９は、メール表示領域を変更する。変更される箇所は特に限定はされず、例えば、映像表示領域５Ａにおける下側、あるいは、映像表示領域５Ａの右側あるいは左側に縦に表示させることができる。よって、ユーザは、見やすい位置にメールを表示させることができる。表示データ作成部６９は、操作部４からの領域変更操作を受け付ける度に、例えば、上、下、右、左、上、下、右、左…のように、繰り返してメール表示領域を変えるようになっていればよい。なお、メール表示領域の変え方はこれには、限定はされない。
【００７１】
なお、情報表示領域５Ｂ、映像表示領域５Ａどちらの領域に受信メールを表示させるかは、予め出荷時に決定されていてもよいし、ユーザによる操作部４からの指示により随時決定されてもかまわない。
【００７２】
受信したメールを映像表示領域５Ａに表示する場合、表示されたテレビ映像におけるシーンの変化により、メールが見にくくなった場合がある。この場合、操作部４からのユーザ操作（変色操作）により表示データ作成部６９は、文字の色を変えて表示する。よって、ユーザは、すぐに見やすい表示色を選択することができる。例えば、映像データに重ねて白文字でメールデータの文字コンテンツの表示を行っているとき、シーンが変わって真っ白の映像データが表示されても、ユーザが操作を行うことでメールデータの文字コンテンツの表示色を赤色等に変化させることができる。ゆえに、ユーザは、メール内容を確認しやすくなる。表示データ作成部６９は、操作部４からの変色操作を受け付ける度に、例えば、赤、黒、白、赤、白、黒…のように、繰り返して色を変えるようになっていればよい。なお、メールの色の変え方はこれには、限定はされない。
【００７３】
また、表示画面５０に文字放送を表示する文字領域があり、チューナー２から文字放送の文字データを受信して、文字データが記憶部６８に記憶され、これを記憶部６８から読み出して、文字領域に表示させていた場合には、次のことが行われてもかまわない。すなわち、ユーザからの操作により、つまり、操作部４がメール／文字切り替え操作を受け付けることで、表示データ作成部６９は、文字放送の文字表示とメール表示とを切り替え、文字領域にメールを表示させる。
【００７４】
上記各機能ブロックを有する制御部は、例えばＣＰＵ（Central Processing Unit）、主記憶手段としてのＲＡＭ（Random Access Memory）、及びＲＯＭ（Read Only Memory）などによって構成することができる。この場合上記各機能ブロックは、ＲＯＭに記憶されているコンピュータプログラムをＲＡＭ上に読み出し、該プログラムに基づいてＣＰＵが演算処理を行うことによって実現可能である。これらのプログラムは、制御部６の内部に備えられているＲＯＭに記憶されているものであってもよいし、外部の記憶媒体に記憶されており、この外部の記憶媒体から該当プログラムをＲＡＭ上に読み出して実行されるような形態であってもよい。さらに、制御部６を、インターネットなどの通信ネットワークに接続可能な構成とし、この通信ネットワークを介して上記プログラムをダウンロードして実行する形態であってもよい。さらに、このように通信ネットワークからプログラムをダウンロードする場合には、そのダウンロード用のプログラムは予め本体装置に格納しておくか、あるいは別な記録媒体からインストールされるものであることが好ましい。
【００７５】
なお、ＲＯＭに記憶されるコンピュータプログラムは、予め製造・出荷段階でＲＯＭに記憶されたものに限定されるものではなく、記憶媒体読取部（図示せず）にメモリカード等の記憶媒体を挿入して、記憶媒体内のプログラムをＲＯＭに書き込んでもよいし、記憶媒体自体が読み取り可能なプログラムメディアであってもよい。
【００７６】
続いて、図６のフローチャートを用いて、上記携帯電話端末１におけるテレビ放送信号受信中のメール表示動作について説明する。
【００７７】
ステップＳ１では、携帯電話端末１においてチューナー２からテレビ放送信号が受信され、表示部５の表示画面５０にテレビ放送信号中に含まれる映像（テレビ映像）が表示され、スピーカ７からテレビ放送信号中に含まれる音声が出力される。
【００７８】
ステップＳ２において、通信制御部６５がメールを受信すると、表示データ作成部６９は、新着の受信メールがあるということを表示部４に表示させる。
【００７９】
ステップＳ２において、無線部３を通してメールが受信されたか否かを確認される。メールが受信されると、すなわちステップＳ２においてＹＥＳの場合、メールデータ処理部６６が、記憶部６８にメールデータを保存すると共に、表示画面５０にメールの受信があったことが表示される。ステップＳ２において、メールの受信が確認されない場合、すなわちステップＳ２においてＮＯの場合、ステップＳ１に戻ってテレビ放送信号の受信を続ける。
【００８０】
ステップＳ３において、Ｆキーの入力がある否かが確認される。Ｆキーの入力があることが確認されると、すなわちステップＳ３においてＹＥＳの場合ステップＳ４に進む。ステップＳ４では、メールデータ処理部６６は、記憶部６８から、メールの先頭からメール表示領域に表示可能な文字数分のメールデータの文字コンテンツを読み込み、表示データ作成部６９は、映像とメールデータ処理部６６が読み出した文字コンテンツとを組み合わせて上記表示画面５０に表示させる。ステップＳ３において、Ｆキーの入力が確認されない場合、すなわちステップＳ３においてＮＯの場合、ステップＳ１に戻ってテレビ放送信号の受信を続ける。
【００８１】
さらに、ステップＳ５において、Ｆキーの入力がある否かが確認される。Ｆキーの入力があることが確認されると、すなわちステップＳ５においてＹＥＳの場合ステップＳ６に進む。ステップＳ６では、メールデータ処理部６６が、記憶部６８に記憶された文字コンテンツのうち、表示画面５０に表示されている部分に連続する後ろの部分を読み出し、表示データ作成部６９に送る。表示データ作成部６９は、メールデータ処理部６６の読み出した部分を表示できるよう、表示画面５０の文字コンテンツの表示を更新させる。
【００８２】
すなわち、本実施形態では、Ｆキー操作がある度に、メールの続きが表示されることとなる。つまり、本実施形態では、Ｆキー操作により、操作部４が、送り表示操作を受け付けることになる。なお、本実施形態では、Ｆキー操作がある度に、文字コンテンツ一列分が更新されて表示されるものとする。しかし、この表示には限定されず、例えば、スクロール表示のように、一文字ずつ更新されてもよい。または現在表示されている部分に連続する前の部分を読み出して、表示させるようになっていてもよい。また、読み出して表示されるメールは、題名（Ｓｕｂｊｅｃｔ）や送信者（Ｆｒｏｍ）から始まってもよいし、メールの本文の表示から始まってもよい。
【００８３】
ステップＳ５において、Ｆキーの入力が確認されない場合、すなわちステップＳ５においてＮＯの場合、ステップＳ７に進む。
【００８４】
ステップＳ７では、クリアキーの入力がある否かが確認される。クリアキーの入力があることが確認されると、すなわちステップＳ７においてＹＥＳの場合、表示データ作成部６９はメールデータの文字コンテンツを表示画面５０に表示させることを中止し、ステップＳ１に戻ってテレビ放送信号の受信を続ける。つまり、ユーザはメールの返信を行わない場合、クリアキーを押すことで、言い換えれば操作部４がメール中止操作を受け付けることで、メールデータの文字コンテンツの表示が中止され、テレビ映像が表示された画面に戻ることができる。このことにより、ユーザは、メールの初めの内容を読み、緊急性を要さない内容だとわかった場合等には、メールの表示を途中で中止して、テレビ映像の表示に戻ることができる。よって、ユーザは、メールを読むのを中止して、テレビ観賞に集中することができる。
【００８５】
ステップＳ７において、クリアキーの入力が確認されない場合、すなわちステップＳ７においてＮＯの場合、ステップＳ８に進む。
【００８６】
ステップＳ８では、メールキーの入力があるか否かが確認される。メールキーの入力があることが確認されると、すなわちステップＳ８においてＹＥＳの場合、ステップＳ９に進む。ステップＳ９では、メールデータ作成部６７は、メール作成画面を表示させるデータを表示データ作成部６９に送り、表示データ作成部６９は、映像表示画面からメール作成画面に表示を切り替える。つまり、上記のメールキーの入力によって、操作部４は、映像／メール画面切り替え操作を受け付けている。すなわち、ユーザが受信メールを読み返信を行うとした場合、メールキーを押すことで、メール作成画面に表示を切り替えることができる。これにより、ユーザは、テレビ映像を見ている途中に、急にメールを作成しなければならなくなった場合でも、直ぐにメール作成画面に切り替えることができる。なお、このとき、受信しているテレビ映像にともなう音声は、スピーカ７から出力され続けている。それによりユーザは容易にテレビ放送の放映状態を想像することができる。
【００８７】
また、この時、表示データ作成部６９は、メール作成画面を、図５（ｂ）に示すようにテレビ映像に重ねて表示画面５０に表示させてもよい。
【００８８】
ステップＳ８において、メールキーの入力が確認されない場合、すなわちステップＳ８においてＮＯの場合、ステップＳ５に戻る。
【００８９】
ステップＳ１０において、メールキーの入力がある否かが確認される。メールキーの入力があることが確認されると、すなわちステップＳ１０においてＹＥＳの場合、ステップＳ１１に進む。ステップＳ１１では、表示データ作成部６９は、メール作成画面表示から、テレビ映像を表示する画面に切り替える。なお、ステップＳ９において、メール作成画面表示に切り替わった際、ユーザは操作部４を介して、メールを作成・編集し、メールを送信することができるものとする。あるいは、ステップＳ９で、ユーザは操作部４を介してメールを作成・編集し、ステップＳ１０において、メールキーが入力されると、メールが送信されるとともに、メール作成画面の表示から、テレビ映像を表示する画面に切り替わるようになっていてもよい。つまり、上記のメールキーの入力によって、操作部４は、映像／メール画面切り替え操作を受け付けている。
【００９０】
よって、ユーザは、テレビ映像に伴う音声を聞いたまま返信メールの作成・編集・送信を行うことができ、その音声を元に、メールキー操作でテレビ映像を表示する画面に切り替えることで、テレビ放送の見たい場面を見逃すことがない。メール作成時に、急に映像を視聴したくなっても、直ぐに切り替えることができる。
【００９１】
なお、上記フローチャートで説明した各キーの役割は、別の操作キー等が行ってもよいものとする。
【００９２】
本実施形態では、映像としてテレビ放送信号中に含まれる映像を表示画面５０に表示するものとしたが、例えば、ビデオ機能等が備えられており、このビデオ等の映像を表示画面に表示中にメールを受信したような場合であっても上記と同じ動作を行えばよい。
【００９３】
また、映像としてインターネット等のように更新が頻繁ではないメディアの映像を表示画面に表示している場合では、メール受信画面を見るために、一時的にインターネット等の表示の中断を行ってもあまり不都合は生じない。そのため、インターネット等の表示の中断を行って表示画面をメール受信画面に切り替えてもよいものとする。
【００９４】
以上のように、本発明によれば、携帯通信端末の表示画面の小さいものであった場合でも、テレビ等の中断することが好ましくない状況でも、映像表示中に受信したメールをユーザが確実に確認できるように表示することが可能である。よって、ユーザは、テレビ等の見たい場面を見逃すこと無くメールも見逃すこと無く確認ができる。また、テレビ等の見たい場面を見逃すこと無く返信メールの作成を行うことができる。
【産業上の利用可能性】
【００９５】
以上のように、本発明に係る携帯通信端末は、表示画面において、映像データを表示中であっても、メールの内容をユーザが確実に確認できるように表示することが可能である。
【００９６】
従って、本発明は、特に、メールを送受信でき、テレビ放送信号を受信および表示できる、ＰＤＣ（パーソナル・ディジタル・セルラー）や、ＰＤＡ（パーソナル・ディジタル・アシスタント）などの携帯通信端末等に好ましく利用することが可能である。
【図面の簡単な説明】
【００９７】
【図１】本発明の実施の一形態を示す携帯電話端末の要部構成を示すブロック図である。
【図２】図１の携帯電話端末の外観の斜視図である。
【図３】図１の携帯電話端末の表示画面におけるメールの表示の例を示す図である。
【図４】（ａ）〜（ｃ）は、図１の携帯電話端末の表示画面におけるメール表示の例を示す図である。
【図５】（ａ）、（ｂ）は、図１の携帯電話端末の表示画面における返信メール作成画面の例を示す図である。
【図６】実施形態の携帯電話端末の動作を説明するフローチャートである。
【符号の説明】
【００９８】
１  携帯電話端末（携帯通信端末）
４  操作部
５０  表示画面
６６  メールデータ処理部（メールデータ処理手段）
６８  記憶部（記憶手段）
６９  表示データ作成部（表示データ作成手段）
【図１】
2005151338.tif 000003
【図２】
2005151338.tif 000004
【図３】
2005151338.tif 000005
【図４】
2005151338.tif 000006
【図５】
2005151338.tif 000007
【図６】
2005151338.tif 000008